(57)【要約】【課題】本発明の解決しようとする課題は、１枚のブランクを折り曲げてトレー状またはカップ状に成形され、開口部にフランジ部を有する紙容器において、フランジ部に紙の重なりに起因する段差が存在したとしても内容物の漏れが生じ難い紙容器およびその製造方法を提案するものである。【解決手段】紙の表裏面に耐水性の熱可塑性樹脂層を有する積層体からなる１枚のブランク１０を折罫線に沿って折り曲げて成形した紙容器本体２と、該紙容器本体のフランジ部４に熱シールされた蓋３とからなる紙容器１であって、前記フランジ部４には前記積層体の重なり部分５が存在し、前記フランジ部４に熱シールされた蓋３および前記フランジ部４には、前記重なり部分５における積層体の端面６を横断する線状の凹部７が形成されていることを特徴とする紙容器である。【選択図】図１
2018188158.tif 000002
【特許請求の範囲】
【請求項１】
紙の表裏面に耐水性の熱可塑性樹脂層を有する積層体からなる１枚のブランクを折罫線に沿って折り曲げて成形した紙容器本体と、該紙容器本体のフランジ部に熱シールされた蓋とからなる紙容器であって、前記フランジ部には前記積層体の重なり部分が存在し、前記フランジ部に熱シールされた蓋および前記フランジ部には、前記重なり部分における積層体の端面を横断する線状の凹部が形成されていることを特徴とする紙容器。
【請求項２】
前記線状の凹部は、長さ方向に深さが変化していることを特徴とする請求項１に記載の紙容器。
【請求項３】
前記フランジ部に熱シールされた蓋および前記フランジ部には、前記重なり部分における積層体の端面を横断する線状の凹部が２本以上並行して形成されていることを特徴とする請求項１または２に記載の紙容器。
【請求項４】
紙の表裏面に耐水性の熱可塑性樹脂層を有する積層体からなる１枚のブランクを折罫線に沿って折り曲げて成形した紙容器本体と、該紙容器本体のフランジ部に熱シールされた蓋とからなる紙容器の製造方法において、紙容器本体のフランジ部に蓋を熱シールするにあたり、フランジ部に存在する積層体の重なり部分における積層体の端面を横断する位置に線状の突起を設けたシールバーを用いて熱シールすることを特徴とする紙容器の製造方法。
【発明の詳細な説明】
【技術分野】
【０００１】
本発明は紙容器に関し、特に１枚のブランクを折罫線に沿って折り、開口部にフランジ部を形成した多角形状の紙容器、およびその製造方法に関する。
【背景技術】
【０００２】
紙容器は、紙の表裏面に耐水性の熱可塑性樹脂層を備えることにより、水分を含む内容物に対しても使用することができるため、近年さまざまな形状の紙容器が広範な用途に用いられている。
【０００３】
中でも冷凍食品やアイスクリームなどを収納するための紙容器として、紙の表裏面に耐水性の熱可塑性樹脂層を設けた１枚のブランクを折罫線に沿って折ることによってトレー状あるいはカップ状に成形した紙容器は、底面から容器の上端に至る範囲に紙の端面が露出しないような構造を取ることが可能であるため、内容物が融けた場合にも容器底辺からの漏れが生じにくいという特徴を持っている。
【０００４】
一方これらの紙容器は、蓋を取り付けるためにフランジ部を形成する必要があるが、フランジ部周辺においては内容物が漏れ出すという問題が生じることがあった。その一としては、側面板と側面板が交わるコーナー部においてフランジ部の付け根に小さな孔が生じ、漏れの原因になる事があった。またその二としては、フランジ部を形成するための縁片の重なり部分における紙の段差が原因となって、蓋のシールが不完全になり、漏れが生じるという問題があった。
【０００５】
特許文献１に記載されたトレー容器用ブランクは、上記のような目的に使用するための底面が矩形状のトレーを作成するためのブランクであり、蓋をシールするためのフランジ部の付け根部分に小さな孔（ピンホール）が出来易いという問題を解決しようとしたものである。
【０００６】
特許文献１に記載されたトレー容器用ブランクにおいては、フランジ部を形成するための縁片に延設された舌片に小突起を設けることにより、ピンホールの発生を防止しようとしたものである。
【０００７】
特許文献２に記載されたフランジ付き紙容器とこれに用いるブランクは、特許文献１と同様にフランジ部の付け根部分にピンホールが発生することを防止しようとしたものであり、容器のコーナー部にＺ字状に折り曲げた隅切り部を設けることにより、略八角形状のフランジ部を形成することによってこの問題を解決しようとしたものである。
【０００８】
特許文献１に記載されたトレー容器用ブランクも、特許文献２に記載されたフランジ付き紙容器もいずれも紙容器のフランジ部の付け根部分に発生しやすいピンホールを防止する点においては効果のあるものであるが、フランジ部における紙の段差に起因する蓋シール不良に対する解決を与えるものではなかった。
【先行技術文献】
【特許文献】
【０００９】
【特許文献１】特開２０００−２５５５４６号公報
【特許文献２】特開２０１４−５０３３号公報
【発明の概要】
【発明が解決しようとする課題】
【００１０】
本発明の解決しようとする課題は、１枚のブランクを折り曲げてトレー状またはカップ状に成形され、開口部にフランジ部を有する紙容器において、フランジ部に紙の重なりに起因する段差が存在したとしても内容物の漏れが生じ難い紙容器およびその製造方法を提案するものである。
【課題を解決するための手段】
【００１１】
上記の課題を解決するための手段として、請求項１に記載の発明は、紙の表裏面に耐水性の熱可塑性樹脂層を有する積層体からなる１枚のブランクを折罫線に沿って折り曲げて成形した紙容器本体と、該紙容器本体のフランジ部に熱シールされた蓋とからなる紙容器であって、前記フランジ部には前記積層体の重なり部分が存在し、前記フランジ部に熱シールされた蓋および前記フランジ部には、前記重なり部分における積層体の端面を横断する線状の凹部が形成されていることを特徴とする紙容器である。
【００１２】
本発明に係る紙容器は、フランジ部に存在する積層体の重なり部分に、積層体の端面を横断する線状の凹部を設けたことにより、重なり部分の段差に起因する蓋のシール不良が発生し難くなった。
【００１３】
また、請求項２に記載の発明は、前記線状の凹部が、長さ方向に深さが変化していることを特徴とする請求項１に記載の紙容器である。
【００１４】
また、請求項３に記載の発明は、前記フランジ部に熱シールされた蓋および前記フランジ部には、前記重なり部分における積層体の端面を横断する線状の凹部が２本以上並行して形成されていることを特徴とする請求項１または２に記載の紙容器である。
【００１５】
また、請求項４に記載の発明は、紙の表裏面に耐水性の熱可塑性樹脂層を有する積層体からなる１枚のブランクを折罫線に沿って折り曲げて成形した紙容器本体と、該紙容器本体のフランジ部に熱シールされた蓋とからなる紙容器の製造方法において、紙容器本体のフランジ部に蓋を熱シールするにあたり、フランジ部に存在する積層体の重なり部分における積層体の端面を横断する位置に線状の突起を設けたシールバーを用いて熱シールすることを特徴とする紙容器の製造方法である。
【発明の効果】
【００１６】
本発明に係る紙容器は、紙の表裏面に耐水性の熱可塑性樹脂層を有する積層体からなる１枚のブランクを折罫線に沿って折り曲げて成形した紙容器本体を有するので、水分を含んだ内容物を収納しても、底面部、側面部からの内容物の漏出が基本的に起こり難い。
【００１７】
また、フランジ部に不可避的に生じる積層体の重なり部分において、積層体の端面を横断するように設けた線状の凹部が、積層体の端面によって生じるフランジ部の段差に起因する蓋シール不良を防ぐ効果を発揮するため、蓋シール不良が生じ難くなった。
【００１８】
請求項２に記載の発明のように、線状の凹部が、長さ方向に深さが変化しているものである場合には、積層体の段差位置に合わせて凹部を配置することにより、フランジ部および蓋に対する損傷を最小限に留めながら、漏出防止効果を最大限に発揮することができる。
【００１９】
請求項３に記載の発明のように、フランジ部に熱シールされた蓋および前記フランジ部に、重なり部分における積層体の端面を横断する線状の凹部が２本以上並行して形成されている場合においては、段差部におけるシール不良による漏出を防止する効果が１本である場合に比較してより確実なものとなる。
【００２０】
また、２本以上の線状の凹部の配置において、内側の１本をフランジ部内側の、フランジ部付け根部分に近付ける事により、フランジ部付け根部分におけるピンホール対策にも効果を発揮させることが可能となる。
【００２１】
請求項４に記載の紙容器の製造方法によれば、紙容器本体に内容物を収納し、蓋を熱シールする時点において、シールバーの所定の位置に線状の凸部を設けておくだけの簡単な設備によって、蓋シール不良のない紙容器を製造することができる。
【図面の簡単な説明】
【００２２】
【図１】図１は、本発明に係る紙容器の一実施態様を示した斜視説明図である。
【図２】図２は、図１に示した紙容器の蓋を除去した状態を示した斜視説明図である。
【図３】図３は、図１に示した紙容器の紙容器本体のブランクを示した平面模式図である。
【図４】図４は、本発明に係る紙容器の一実施態様のフランジ部における積層体の重なり部分の部分拡大図である。
【図５】図５は、本発明に係る紙容器の他の実施態様のフランジ部における積層体の重なり部分の部分拡大模式図である。
【図６】図６は、本発明に係る紙容器の製造方法において使用するシールバーの一実施態様を示した平面模式図である。
【図７】図７（ａ）は、図６のＡ部の拡大図であり、図７（ｂ）は、側面模式図を、図７（ｃ）は、立面模式図をそれぞれ示す。
【図８】図８は、本発明に係る紙容器の製造方法において使用するシールバーの他の実施態様を示した平面模式図である。
【図９】図９（ａ）は、図８のＢ部の拡大図であり、図９（ｂ）は、側面模式図を、図９（ｃ）は、立面模式図をそれぞれ示す。
【発明を実施するための形態】
【００２３】
以下、図面を参照しながら本発明に係る紙容器ならびにその製造方法について詳細に説明する。図１は、本発明に係る紙容器１の一実施態様を示した斜視説明図であり、図２は、図１に示した紙容器１の蓋３を除去した状態を示した斜視説明図である。また、図３は、図１に示した紙容器１の紙容器本体２のブランク１０を示した平面模式図である。
【００２４】
本発明に係る紙容器１は、紙の表裏面に耐水性の熱可塑性樹脂層を有する積層体からなる１枚のブランク１０を折罫線に沿って折り曲げて成形した紙容器本体２と、紙容器本体２のフランジ部４に熱シールされた蓋３とからなる紙容器である。フランジ部４には積層体の重なり部分５が存在し、フランジ部４に熱シールされた蓋３およびフランジ部４に、重なり部分５における積層体の端面６を横断する線状の凹部７が形成されていることを特徴とする紙容器である。
【００２５】
本発明に係る紙容器１は、紙の表裏面に耐水性の熱可塑性樹脂層を有する積層体からなる１枚のブランク１０を折罫線に沿って折り曲げて成形した紙容器本体２を有するので、
フランジ部４から下には紙の端面が露出している部分が存在しない。このため水分を含む内容物を収納した場合であっても、紙容器本体から内容物が漏れ出すことはない。
【００２６】
図３は、図１に示した紙容器の紙容器本体のブランク１０を示した平面模式図である。図３は、ブランクを構成する積層体を表面側（容器の外側となる側）から見た図であり、図中点線は山折罫線を、一点鎖線は谷折罫線を示している。
【００２７】
ブランク１０は、底面板１１を中心として２枚の側面板１２と２枚の第２側面板１３とが山折罫線を介して連設されている。側面板１２と第２側面板１３との間には、逆三角形状の折込接合板１８と第２折込接合板１９が連設されて、全体が１つながりのブランクを形成している。
【００２８】
紙容器の４つのコーナー部分は、第２折込接合板１９の外側に折込接合板１８を被さるように重ね合わせて、全体を第２側面板１３の外側に接着する。これにより容器本体の下部分が形成される。
フランジ部４は、側面板１２、第２側面板１３、折込接合板１８にそれぞれ延設された縁片１４、第２縁片１５、接合縁片２０を繋ぎ合わせることによって形成される。上下関係としては、第２縁片１５の下に接合縁片２０が折り込まれ、縁片１４の舌片１６の上に第２縁片１５の第２舌片１７が接着される。
【００２９】
これにより、４つのコーナー部には、第２舌片１７の端面である積層体の端面６が露出することになる。この段差は、積層体の厚さに相当するものであるため、通常、容器本体２に蓋３を熱シールする際に、シールバーで相当圧力を掛けてシールしても、ごく希に隙間が残ってしまう場合があった。
【００３０】
本発明に係る紙容器１にあっては、フランジ部４に存在する積層体の重なり部分５において、積層体の端面６を横断する形で、線状の凹部７を形成したことにより、この隙間の発生をほぼ完全に抑制することができた。
【００３１】
図４は、本発明に係る紙容器１の一実施態様のフランジ部４における積層体の重なり部分５の部分拡大図である。図４では、分かり易いように、蓋３を取り除いた状態を示している。フランジ部４には積層体の重なり部分５が存在し、フランジ部に熱シールされた蓋およびフランジ部には、重なり部分５における積層体の端面６を横断する線状の凹部７が形成されている。
【００３２】
この図の例では、縁片１４に延設された舌片１６の上に第２縁片１５に延設された第２舌片１７が重なり、端面６が露出している。線状の凹部７は、この積層体の端面６を横断するように設けられている。
【００３３】
蓋のシール時に積層体の端面６に基づく段差に沿って隙間が生じたとしても、線状の凹部７が存在することにより、この隙間が遮断され、紙容器の外まで通じることがなくなる。
【００３４】
線状の凹部７の大きさとしては、幅０．５ｍｍ〜１．５ｍｍ程度、長さ５ｍｍ〜１０ｍｍ程度、深さ０．２ｍｍ〜１ｍｍ程度が好ましく、形状としては、直線状でも曲線状でも良い。
【００３５】
線状の凹部７を形成する方法としては、図６に示したように、蓋３を熱シールするためのシールバー３０の４つのコーナー部に線状の突起３１を設けておき、通常と同じように熱シールする方法が最も簡単で効率が良い。
【００３６】
図７は、線状の突起３１の説明図である。図７（ａ）は、図６のＡ部の拡大図であり、図７（ｂ）は、側面模式図を、図７（ｃ）は、立面模式図をそれぞれ示している。この例では、線状の突起３１は断面が台形形状であり、上面は平坦である。線状の突起３１の寸法としては、例えば幅１．５ｍｍ、長さ９ｍｍ、高さ１ｍｍ程度とする。
【００３７】
図８は、本発明に係る紙容器の製造方法において使用するシールバー３０の他の実施態様を示した平面模式図である。図９（ａ）は、図８のＢ部の拡大図であり、図９（ｂ）は、側面模式図を、図９（ｃ）は、立面模式図をそれぞれ示している。この例では、線状の突起３１は、長さ方向に高さが変化して、テーパー状になっていることを特徴とする。
【００３８】
このようなシールバーを用いて蓋のシールを行うと、長さ方向に深さが変化している線状の凹部を持った紙容器を成形することができる。このようにすることにより、積層体の段差に沿って無理なく凹部を形成することができるため、段差のない部分のシールに悪影響を及ぼす事も無く、より安定したシールが可能となる。またシール時間を短縮する効果もある。
【００３９】
線状の突起３１のテーパーについては、通常の厚さ４００μｍ程度の積層体で１０：１程度が適当である。紙厚がこれより厚い場合には２：１、薄い場合には１５：１程度まで変化させることにより、良い結果が得られる。
【００４０】
図５は、本発明に係る紙容器１の他の実施態様のフランジ部４における積層体の重なり部分５の部分拡大模式図である。この例では、フランジ部４に熱シールされた蓋３およびフランジ部４には、重なり部分５における積層体の端面６を横断する線状の凹部７が２本並行して形成されていることを特徴とする。
【００４１】
このように、線状の凹部７が２本以上存在することにより、積層体の端面６に起因する段差部分に生じる隙間を遮断する効果はより完璧となる。また特に図示はしないが、複数本のうちの内側の１本をフランジ部の付け根に近い場所に設けることにより、フランジ部の付け根部分に発生しがちなピンホールを潰す効果をも期待できる。
【００４２】
本発明に係る紙容器に用いる紙としては、マニラボール紙、白ボール、チップボールの４００〜８５０ｇ／ｍ２程度の板紙や、両面カード紙、裏白ボール紙、アイボリー紙、坪量１６０〜６００ｇ／ｍ２程度のカートン原紙、カップ原紙等を用いることができる。
【００４３】
紙の両面に設ける耐水性の熱可塑性樹脂層としては、低密度ポリエチレン樹脂（ＬＤＰＥ）、高密度ポリエチレン樹脂（ＨＤＰＥ）、直鎖状低密度ポリエチレン樹脂（ＬＬＤＰＥ）、ポリプロピレン樹脂（ＰＰ）等のポリオレフィン系樹脂や、無延伸ポリエチレンテレフタレート樹脂（ＰＥＴ）等のポリエステル系樹脂や、無延伸ナイロン等のポリアミド系樹脂等を用いることができる。
【符号の説明】
【００４４】
１・・・紙容器
２・・・紙容器本体
３・・・蓋
４・・・フランジ部
５・・・重なり部分
６・・・積層体の端面
７・・・線状の凹部
１０・・・ブランク
１１・・・底面板
１２・・・側面板
１３・・・第２側面板
１４・・・縁片
１５・・・第２縁片
１６・・・舌片
１７・・・第２舌片
１８・・・折込接合板
１９・・・第２折込接合板
２０・・・接合縁片
３０・・・シールバー
３１・・・線状の突起
【図１】
2018188158.tif 000003
【図２】
2018188158.tif 000004
【図３】
2018188158.tif 000005
【図４】
2018188158.tif 000006
【図５】
2018188158.tif 000007
【図６】
2018188158.tif 000008
【図７】
2018188158.tif 000009
【図８】
2018188158.tif 000010
【図９】
2018188158.tif 000011